(57)【要約】  中国語と相手の公用文字との相互翻訳を含み、同一の意味を精確に表現する字、単語、一言の対応を形成して対応カードを発生して、連語、短句、共通言語の対応する追加して対応カードを発生し、前記対応カードは中国語と相手の公用文字の精確に同一の意味を表現する対応カードであって、大きいソフトウェア構造を構成し、定義した対応カード、対応データベースとソフトウェアをソフトウェア構成に挿入して、世界各国家の言葉間の共通文字、音声翻訳ソフトウェアになり、世界の言葉システムで別途に学習する必要のない国際手話システムを構築する音声コンバーターを提供する。【特許請求の範囲】
【請求項１】
中国語と相手の公用文字との相互翻訳を含み、１字、１単語、一言を関連付ける音声コンバーターであって、同一の意味を精確に表現する字、単語、一言の対応を形成して対応カードを発生して、連語、短句、共通言語の対応する追加して対応カードを発生し、前記対応カードは中国語と相手の公用文字の精確に同一の意味を表現する対応する字、単語、連語、短句、共通言語、一言によって発生された字対応カード、単語対応カード、連語対応カード、短句対応カード、共通言語対応カード、一言対応カードであって、需要に応じて、さらに広義または狭義の対応と対応カードを発生し、
翻訳しようとする内容について、字対応、単語対応、連語対応、短句対応、共通言語対応、一言対応によって直接に相手の文字を生成し、対応がない時、複数の小さいユニットに分割し、分割した後もないと、対応があるまでさらに分割して、相手の文字の対応を得ることを特徴とする音声コンバーター。
【請求項２】
声コンバーターの対応カードが、中国語から相手の公用文字へ対応カードを発生し、相手の公用文字から中国語へは他の対応カードを発生する単方向性を有することを特徴する請求項１に記載の音声コンバーター。
【請求項３】
音声コンバーターの対応カードにおいて、中国語から相手の公用文字への対応カードは中国語を相手の公用文字に翻訳するに用いられ、相手の公用文字から中国語への対応カードは相手の公用文字を中国語に翻訳するに用いられる使用方式を有することを特徴とする請求項１に記載の音声コンバーター。
【請求項４】
音声コンバーターの対応カードにおいて、１対１の対応と１対数の対応であって、１対１の対応と１対数の対応が１字、１単語、１連語、１短句、１共通言語、一言が相手の言葉との対応において、一つの意味を表現する唯一の相互対応の１対１の対応以外、複数の異なる意味を表現する対応も出現し、複数の異なる意味の対応も全て並び、このような対応によって１対１の対応を形成し、１対数の対応もあることを特徴とする請求項１に記載の音声コンバーター。
【請求項５】
対応カードを含む音声コンバーターであって、対応データベースが、翻訳中に２種類の文字が形成した対応からなる対応データベースと、対応データベース中の命令対応データベースと、対応データベース内の順番と、を含み、前記対応データベースは一つの特徴を有する対応カードを一つにまとめて対応データベースを構成し、単一特徴の対応データベースまたは複種類の特徴の対応データベース中のサブ対応データベースを構成し、
中国語から相手の公用文字への全ての対応が１種類の対応で、これらの対応を一つにまとめて対応データベースを構成し、相手の公用文字から中国語へは他の種類の対応で、これらの対応を一つにまとめて対応データベースを構成し、中国語から他の言語に翻訳する時、中国語の対応データベースで検索し、相手の公用文字から中国語へ翻訳する時、相手の公用文字から中国語への対応データベースで検索することを特徴とする音声コンバーター。
【請求項６】
翻訳中に２種類の文字が形成した対応からなる対応データベースであって、対応カードを含み、同種類の対応カードをまとめて対応データベースを構成し、前記対応カードは中国語と相手の公用文字中の精確に同一の意味を表現する対応する字、単語、連語、短句、共通言語、一言が形成した字対応カード、単語対応カード、連語対応カード、短句対応カード、共通言語対応カード、一言対応カードであって、前記同種類の対応カードをまとめて対応データベースを構成することは、全ての中国語から相手の公用文字への対応カードをまとめて一つの対応データベースを構成し、全ての相手の公用文字から中国語への対応カードをまとめて他の対応データベースを構成し、当該二つの協同する対応データベースによって、中国語から他の国家文字への翻訳対応データベースを構成し、
中国語から相手の公用文字への全ての対応が１種類の対応で、これらの対応を一つにまとめて対応データベースを構成し、相手の公用文字から中国語へは他の種類の対応で、これらの対応を一つにまとめて他の対応データベースを構成し、中国語から他の言語に翻訳する時、中国語の対応データベースで検索し、相手の公用文字から中国語へ翻訳する時、相手の公用文字から中国語への対応データベースで検索することを特徴とする請求項５に記載の音声コンバーターの対応データベース。
【請求項７】
対応データベース中の命令対応データベースにおいて、対応データベース中の命令としての対応を集中して、命令対応データベースを構成し、前記対応データベース中の命令としての対応を集中して構成した命令対応データベースは対応データベースの一部で特別な用途を有し、
人と電器機器が対話する時、命令対応データベース中の対応によって命令し、電器機器が最も容易に理解し、その反応が最も精確で高速であることを特徴とする請求項５に記載の音声コンバーターの対応データベース。
【請求項８】
対応データベース内の順番において、レターの順で配列し、前記レターの順で配列する場合、英語の先対応の配列は理解しやすく、中国語の先対応の配列はピンインに従って配列し、他の国家の文字の先対応について、中国語の方式を参照して配列し、
対応データベースそれぞれにおける対応は、前の文字のレター順で配列することを特徴とする請求項５に記載の音声コンバーターの対応データベース。
【請求項９】
対応データベースを含む音声コンバーターであって、まず音声から中国語に変換し、対応データベース中の対応カードによって中国語を対応する相手の文字に翻訳し、相手の文字を相手のリーダーで相手の言葉で読み出して、そして、逆に１回行うと、音声変換のインタラクションである変換方法を用いて、
自分が話したい話を中国語として入力し、字対応、単語対応、連語対応、短句対応、共通言語対応、一言対応によって直接に相手の文字を生成し、相手の文字を相手の音声リーダーによって相手の言葉で閲覧し、相手が理解できる音声を聴き、相手が何かを話しようとする場合、このように１回行えばよいことを特徴とする音声コンバーター。
【請求項１０】
音声コンバーターの変換方法を含み、文字間の変換を実現し、直接に文字間の変換を実現することと、比較する方法で文字間の変換を実現することとを含み、前記文字間の変換を実現することが、対応データベースを用いて二つの国家の文字間の翻訳を行うことであって、中国語について対応データベース中の対応カードによって対応して相手の文字を生成し、対応カードがないと対応によって一つの対応カードを発生し、相手の文字についても対応データベース中の対応カードによって中国語を生成し、対応カードがないと対応によって一つの対応カードを発生し、これにより文字間の変換を実現することを特徴とする音声コンバーター。
【請求項１１】
音声コンバーターが直接に文字間の変換を実現し、直接に相手の文字を生成する方法と、入力した一言を文法に符合させる解決方式と、直訳方法と、新規の対応カードを生成して翻訳最小ユニットを確定する方法と、直訳する時の文型選択方法と、直訳する方式で新規の対応カードを生成する方法と、を含み、前記直接に文字間の変換を実現することが、対応データベース中の対応カードを用いて、直接に対応して結果を得る翻訳方式であって、
対応カードによって直接に相手の文字を生成し、また自分で直訳の方式で対応カードを発生することを特徴とする請求項１０に記載の音声コンバーター。
【請求項１２】
音声コンバーターが直接に文字間の変換を実現し、対応カードを用いて直接に相手の文字を生成し、前記対応カードを用いて直接に相手の文字を生成することは、利用者が入力した中国語が対応データベースに存在するものであると、対応カードによって、直接に相手の公用文字を得て、相手の公用文字も対応カードを用いて直接に中国語を生成することを特徴とする請求項１１に記載の音声コンバーター。
【請求項１３】
音声コンバーターが直接に文字間の変換を実現し、入力した一言を文法に符合させる解決方式であって、口頭用言葉を書面用言葉に変換し、前記口頭用言葉を書面用言葉に変換することが、記述方式を含んで地方性言葉を公衆が理解可能な言葉に変換することであって、利用者が入力した一言が、対応データベース中の対応カードの中国語部分になく、データベースにも入力した一言と基本的に合致する中国語部分の対応がないと、当該ソフトウェアによって直接に翻訳し、まず一言を文法に符合させて、標準的な一言になるようにし、
人々が話す一言が全て書面用言葉であることがなく、記述方式を含んで地方性言葉を公衆が理解可能な言葉に変換し、利用者が入力した一言が中国語の言葉データベースになく、コンピュータの抽出データベースに入力した一言と基本的に合致する一言がないと、本ソフトウェアで直接に翻訳しなければならなく、まず一言を文法に符合させて、標準的な一言になるようにすることを特徴とする請求項１１に記載の音声コンバーター。
【請求項１４】
音声コンバーターが直接に文字間の変換を実現するための直訳方法であって、地名、人名を表記し、前記地名、人名を表記すると、直訳時に自動に音訳することを特徴とする請求項１１に記載の音声コンバーター。
【請求項１５】
音声コンバーターが直接に文字間の変換を実現するための新規の対応カードを生成して翻訳最小ユニットを確定する方法であって、短句、連語、単語、字の順で、大きい順で生成し、前記短句、連語、単語、字の順で大きい順で生成することは、翻訳ユニットまたは単語の優先順で生成し、新しい一言対応カードを生成する時、新しい一言に短句対応カードの短句が含まれている時、まず短句が最小ユニットであって、短句対応カードを用いて翻訳し、その後、新しい一言に連語対応カードの連語が含まれているか否かを判断し、連語が最小ユニットであって、含まれていると、対応データベース中の連語対応カードを用いて翻訳し、その後、新しい一言に単語対応カードの単語が含まれているか否かを判断し、単語が最小ユニットであって、含まれていると、対応データベース中の単語対応カードを用いて翻訳し、最後に、字を最小ユニットとして、字対応カードを用いて翻訳して、全ての最小ユニットを元の順で接続して、新しい一言対応カードを発生し、
対応データベース内で検索されないと新規の対応を発生しなければならなく、新規の一言対応を創造する時、短句、連語、単語、字の順で大きい方から生成、翻訳ユニットまたは単語の優先順であって、短句対応があるとまず短句で翻訳し、その後対応データベース中の連語で翻訳し、その後対応データベース中の単語で翻訳し、最後に字で翻訳することを特徴とする請求項１１に記載の音声コンバーター。
【請求項１６】
音声コンバーターが直接に文字間の変換を実現するための直訳時の文型選択方法であって、入力した一言に文型選択を行って、前記入力した一言に文型選択を行うことは、新規の対応カードを生成する時、直訳の精確性を確保するため、入力した一言のために文型を選択することを特徴とする請求項１１に記載の音声コンバーター。
【請求項１７】
音声コンバーターが直接に文字間の変換を実現するための直訳の方式で新規の対応カードを生成する方法であって、主語、述語、目的語、限定語、副詞語で翻訳し、前記主語、述語、目的語、限定語、副詞語で翻訳することは文法の翻訳であって、翻訳方式の１種類であることを特徴とする請求項１１に記載の音声コンバーター。
【請求項１８】
音声コンバーターが直接に文字間の変換を実現するための人工知能の方式で新規の対応カードを生成する方法であって、人工知能で翻訳し、前記人工知能で翻訳することが知能翻訳であって、翻訳方法の一つであることを特徴とする請求項１１に記載の音声コンバーター。
【請求項１９】
音声コンバーターが直接に文字間の変換を実現し、比較する方法で文字間の変換を実現し、対応データベースでの検索が全体的な検索で、対応データベースにおいてキーワードを検索する方法と、短句における主語、述語、目的語の関係によって判定し検索する方法と、対応データベースからできる限り多い同一の単語を検索する対応方法と、を含み、前記比較する方法で文字間の変換を実現することは、対応データベース中の対応カードを用いて、検索と比較する方法で、類似する対応を探して、文字の翻訳を実現する方法であることを特徴とする請求項１０に記載の音声コンバーター。
【請求項２０】
音声コンバーターが比較する方法で文字間の変換を実現し、対応データベースでの検索が全体的な検索であって、対応が検索された検索部分は完全に合致する対応であって、前記対応が検索された検索部分は完全に合致する対応であって、検索部分が完全に合致する対応はマッチングした結果であって、上記したマッチング結果は検索データベース内のあらかじめ設定された方案であることを特徴とする請求項１９に記載の音声コンバーター。
【請求項２１】
音声コンバーターが比較する方法で文字間の変換を実現し、対応データベースにおいてキーワードを検索する方法であって、キーワードが同じである対応を全部検索し、前記キーワードが同じである対応を全部検索して、利用者が入力した一言が中国語の対応データベースにないと、利用者が選択して使用するように、コンピュータはデータベース中の入力した一言に類似する一言を抽出し、検索方法はキーワードの相等であることを特徴とする請求項１９に記載の音声コンバーター。
【請求項２２】
音声コンバーターが比較する方法で文字間の変換を実現し、短句中の主語、述語、目的語の関係に基づいて判定して検索する方法であって、主語、述語、目的語が同じである対応を検索し、前記主語、述語、目的語が同じである対応を検索し、利用者が入力した一言が中国語の対応データベースにないと、利用者が選択して使用するように、コンピュータがデータベース中の入力した一言に基本的に合致する一言を抽出し、その具体的な検索方法は主語、述語、目的語の検索であることを特徴とする請求項１９に記載の音声コンバーター。
【請求項２３】
音声コンバーターが比較する方法で文字間の変換を実現し、対応データベースからできる限り多い同様な単語を検索する対応方法であって、同様な単語が最も多い対応を検索し、前記同様な単語が最も多い対応を検索し、利用者が入力した一言が中国語の言葉データベースにないと、利用者が選択して使用するように、コンピュータがデータベース中の入力した一言に基本的に合致する一言を抽出し、検索方法は単語が同様の数量が最も多いことであることを特徴とする請求項１９に記載の音声コンバーター。
【請求項２４】
文字間の変換を実現する音声コンバーターであって、コンピュータと、スキャナと、スキャンした後の文字変換ソフトウェアと、中国語の閲覧ソフトウェアと、を追加し、前記追加したコンピュータと、スキャナと、スキャンした後の文字変換ソフトウェアと、中国語の閲覧ソフトウェアは、本発明の記憶装置と不可欠な工具であって、
まず自分が閲覧しようとする他の国家の文字をスキャナでスキャンしてから、その国家のスキャン内容を文字に変換する変換ソフトウェアを用いて、その国家の文字に変換し、その文字をさらに二つの国家の文字間の変換を経て中国語を生成し、それから中国語の閲覧ソフトウェアで読むことを特徴とする音声コンバーター。
【請求項２５】
変換方法において、ハードウェア方面のコンピュータと、携帯電話と、電器機器と、ネットワークとを追加し、ソフトウェア方面の文字入力ソフトウェアと、音声閲覧ソフトウェアと、必要なアプリケーションとをさらに追加し、前記ハードウェア方面のコンピュータと、携帯電話と、電器機器と、ネットワークは本発明の記憶装置であって、前記ソフトウェア方面の文字入力ソフトウェアと、音声閲覧ソフトウェアと、必要なアプリケーションは本発明を実現するに不可欠な工具であって、ハードウェアに装着され、前記音声コンバーターは、まず自分が話しようとする話を上記ソフトウェアを介して上記ハードウェアに入力して中国語を形成し、中国語を対応カードを用いて相手の文字に対応させ、相手の文字のリーダーによって、上記ハードウェアで相手の言葉を朗読し、そして逆に１回行うと、１回の音声変換のインタラクションであることを特徴とする音声コンバーター。
【請求項２６】
ハードウェア方面のコンピュータと、携帯電話と、電器機器と、ネットワークと、を追加し、ソフトウェア方面の文字入力ソフトウェアと、音声閲覧ソフトウェアと、必要なアプリケーションと、をさらに追加した音声コンバーターにおいて、ネットワークにおいてオンラインで対応カードを追加する方法であって、ネットワークでヘルプを求め、前記ネットワークでヘルプを求めることは、利用者が入力した話が書面用言葉に符合するが、対応データベースにないと、ネットワーに接続して、ネットワーク上の友たちにヘルプを求めることができ、問い合わせることもでき、料金を払って翻訳してもらうこともでき、新規の対応カードを構成して、すぐに使用することを特徴とする請求項２５に記載の音声コンバーター。
【請求項２７】
ハードウェア方面のコンピュータと、携帯電話と、電器機器と、ネットワークと、を追加し、ソフトウェア方面の文字入力ソフトウェアと、音声閲覧ソフトウェアと、必要なアプリケーションと、をさらに追加した音声コンバーターにおいて、１対数の対応である対応カードの使用方法であって、逆に異なる意味の対応を表示して利用者に選択させ、前記逆に異なる意味の対応を表示して利用者に選択させることは、字対応カード、単語対応カード、連語対応カード、短句対応カード、共通言語対応カード、一言対応カードにおいて、唯一の意味を表現する１対１の対応である対応カード以外に、複数の異なる意味を表現する１対数の対応である対応カードもあるので、この時、逆に異なる意味の対応の内容を表示して、入力者がどの対応内容が自分の意味を精確に表現したかを確定するように入力者に確定を促し、逆に、他の国家の文字を標準化して中国語に関連させ、その国家の文字と中国語との対応が１対数の対応である対応カードである時、選択して確定するように注意を与え、
まず変換しようとする話を入力する方法でハードウェアに入力して中国語とし、入力した話が対応中にあると、直接に相手の文字を生成し、ないと、機器により入力された中国語が中国語の書面用言葉の字、単語、一言の要求を満たすかを判定し、要求を満たさない時、機器が入力した話が表現しようとする意味の書面用言葉の選択肢を提示し、入力者が可能性のある幾つかの書面用言葉から選択して確定し、選択後のものが中国語の書面用言葉の要求を満たし、対応中にあると、直接に相手の文字を生成し、対応がないと、一言を複数の短句に分割し、短句でもできなく、対応がないと、さらに連語に分割し、連語の対応もないと、単語に分割し、単語の対応がないと、さらに字に分割し、面倒で、時間がなく、明確に説明できない等の問題でこのように処理したくないと、キーワードで意味が接近する対応を探して、機器に幾つかの対応選択肢と、自分が入力した話と重複する単語が多い対応、特にキーワードの重複が多い対応を提供することを要求し、入力者がこれらの選択肢から選択して確定し、入力者自分の意味を精確に表現し、それでも解決できないと、ネットワークに接続して、ネットワーク上の友たちにヘルプを求めることができ、問い合わせることもでき、料金を払って翻訳してもらうこともでき、新規の対応カードを構成して、すぐに使用する対応に１対数の対応が出現した時、入力者の意味を精確に表現できるように、入力者に選択して確定することを提示し、最後に対応する相手の文字について、相手の文字のリーダーで相手の音声で読んで、相手が理解でき、逆に、相手が回答しようとする時、同様に自分の文字を標準化し、中国語に関連付けて、中国語との対応が１対数の対応である時、選択して確定するように提示し、中国語リーダーにより標準語で朗読し、これにより１回の音声変換のインタラクションを完成することを特徴とする請求項２５に記載の音声コンバーター。
【請求項２８】
上述した技術案において、人工知能を追加し、知能的に参照資料の提供、知能的にデフォルト選択、知能的に先配列、知能的に感情付きを含み、前記人工知能を追加することは、音声コンバーターが利用者の心を非常に理解し、自動的にプログラムを実行し、また、知恵的かつ開発的に提供したり問題を解決し、自己改善を実現し、ここで、
知能的に参照資料の提供は、参照資料を提供し、前記参照資料を提供することは、入力者が参照資料を必要とする時、音声コンバーターの人工知能が利用者の要求に満たす参照内容を出現し、
知能的にデフォルト選択は、デフォルト選択であって、前記デフォルト選択は入力者が選択しようとする時、音声コンバーターの人工知能が入力者の要求に最も満たすデフォルト選択を行い、
知能的に先配列は、先に配列し、前記前に配列された時は音声コンバーターの人工知能がデフォルト選択しなく、入力者の要求に最も満たす選択肢が前に配列されることもあって、
知能的に感情付きは、言葉感情を有し、前記言葉感情を有することは、音声閲覧ソフトウェアが閲覧する時、入力者の意味を把握でき、朗読の音が高低長短で、魅力的であるので、入力者の感情を精確に表現し、逆に聴く場合も同じであることを特徴とする音声コンバーター。
【請求項２９】
音声コンバーターの人工知能は自動に追加し、前記自動に追加することは、利用者が新規の対応によって発生された対応カードを使用するたびに、人工知能が自動に記録し、次回に使用するように対応データベースに追加することを特徴とする請求項２８に記載の音声コンバーター。
【請求項３０】
音声コンバーターの人工知能は自動に交流し、前記自動に交流することは、音声コンバーターの人工知能が、自動に利用者とソフトウェア公用ウェブサイトとの一つの交流通路を構築して、利用者が新規の対応カードを使用すると、ウェブサイトが対応カードを認定しウェブサイトでの対応データベースの追加し且つソフトウェア公用ウェブサイトが定期的に各音声コンバーターの対応データベースをアップグレードして事業者へのサービスの提供の便宜を図るように、人工知能が自動にソフトウェア公用ウェブサイトに当該情報を伝送することを特徴とする請求項２８に記載の音声コンバーター。
【請求項３１】
色で対応生成種類を表記し、ソフトウェア担当者が確認した対応について特定の色で表記する方法と、人工知能により発生した新規の対応について特定の色で表示する方法と、自分で単語字で直訳した対応について特定の色で表示する方法と、を含み、前記色で対応生成種類を表記することは、異なる方式で生成された対応カードを異なる色で表示することを特徴とする音声コンバーター。
【請求項３２】
音声コンバーターが色で対応生成種類を表記し、ホームページアドレスで確認した対応について特定の色で表記する方法において、特定の色で確認した対応を表示し、前記特定の色で確認した対応を表示することは、ソフトウェアに複種類の対応があって、直観的に区別付けるため、特定の色でソフトウェア中の確認した対応を表示し、相手に送り、相手はすぐにそれが精確であることを分かることを特徴とする請求項３１に記載の音声コンバーター。
【請求項３３】
音声コンバーターが色で対応生成種類を表記し、人工知能により発生された新規の対応について特定の色で表示する方法であって、特定の色で人工知能により生成された対応を表示し、前記特定の色で人工知能により生成された対応を表示することは、ソフトウェアに複種類の対応があって、直観的に区別付けるため、特定の色でソフトウェア中の人工知能により生成された対応を表示して、相手に送り、相手がそれが人工知能により翻訳されたものであることが分かり、不明確であるか精確でないものがあるかを判断して問い合わせすることができることを特徴とする請求項３１に記載の音声コンバーター。
【請求項３４】
音声コンバーターが色で対応生成種類を表記し、自分で単語、字で直訳した対応について特定の色で表示する方法であって、特定の色で直訳した対応を表示し、前記特定の色で直訳した対応を表示することは、ソフトウェアに複種類の対応があって、直観的に区別付けるため、特定の色でソフトウェア中の直訳した対応を表示して、相手に送り、相手がそれが利用者が自分で組み合わせたものであることが分かり、話しようとする内容を全部話したか、正確であるかが知らなく、精確性が最も悪いことを特徴とする請求項３１に記載の音声コンバーター。
【請求項３５】
対応カードの募集方法において、前記対応の募集方法は、全ての人に向いて１倍以上の奨励を与え、即ち、利用者がソフトウェア担当者に合格した対応カードを提供し、一つ以上の対応カードを無料で使用することができ、対応する使用時間または流量であることもでき、無料に使用するものをソフトウェア担当者の管理で、他の利用者と交換することもでき、
全ての人に向いて、合格した対応を提供すると二つの対応を無料で使用することができプラットフォームで販売することもできることを特徴とする音声コンバーター。
【請求項３６】
本発明の方法、ステップ、技術案を応用する用途において、用途１、世界中の全ての文字をコンピュータに入力して、相互に直接に文字翻訳や音声変換を行うルートを構築し、用途２、世界で共通の各国内と相互の全ての文字と音声の翻訳ソフトウェアになり、用途３、一つの国家での１翻１国言葉の翻訳器、１翻数国言葉の翻訳器に製造することができ、用途４、２種類の異なる地方の方言を関連させ、用途５、中国のオンラインショッピングが世界唯一のオンラインショッピングになるように最後の言葉障害を除去し、
スマート電気器具において、本発明の方法、ステップ、技術案によって、大きいソフトウェア構造を構成し、ソフトウェア構造に二つの国家のリーダー、字対応、単語対応、連語対応、短句対応、共通言語対応、一言対応等を挿入し、字対応、単語対応、連語対応、短句対応、共通言語対応、一言対応等を絶えずに補充すると、世界各国家の言葉間の共通文字、音声翻訳ソフトウェアになり、当該ソフトウェアをハードウェアにインストールすると翻訳機になることを特徴とする音声コンバーター。
【発明の詳細な説明】
【技術分野】
【０００１】
本発明は、ソフトウェアと電気器具分野に関し、特に、音声コンバーターに関する。
【背景技術】
【０００２】
各国はいずれも公用の標準言葉と地方の方言があって、同一の意味を表す発音は大きく異なっていて、客観的に、精確な翻訳を妨害している。そうなると、国家で公認する同一の意味を表現するのは公用の言葉と公用文字である。公用文字がみんなが公認する同一の意味を表現する礎石であるので、精確な翻訳は当該礎石を基礎とするべきであって、このような翻訳が現実社会で普及されていないことは、コンピュータ、携帯電話、スマート電気器具、ソフトウェア、ネットワーク等がないからであった。
【０００３】
現実社会は、各国家の公用の言葉をいずれもコンピュータに入力することができ、また、大量の簡単な入力方法が現れ、連語、短句、共通言語の発生や入力は重要な貢献の一つである。二つの国家の言葉の間において、同一の意味の字、単語、文章を互いに対応させて、また、同一の意味の連語、短句、共通言語を互いに対応させて増加すると、翻訳も以前の方式に比べ高速且つ精確になる。
【０００４】
現在、大きくの翻訳工具があるが、直接にに標準語を他の国家の言葉に翻訳するものはない。自分が話したい話を即時にリスナーが分かる言葉に翻訳できると、交流の便宜を図り、実用性を有し、言葉の障害を本当に除去できる機能を有することになる。
【発明の概要】
【発明が解決しようとする課題】
【０００５】
本発明は、自分が話したい話を即時にリスナーが分かる言葉に翻訳して、相手が聞いて理解でき、また即時に回答でき、標準語で回答できるようにすることを目的とする。
【課題を解決するための手段】
【０００６】
中国語と相手の公用文字との相互翻訳を含み、１字、１単語、一言を関連付ける音声コンバーターであって、同一の意味を精確に表現する字、単語、一言の対応を形成して対応カードを発生して、連語、短句、共通言語の対応する追加して対応カードを発生し、前記対応カードは中国語と相手の公用文字の精確に同一の意味を表現する対応する字、単語、連語、短句、共通言語、一言によって発生された字対応カード、単語対応カード、連語対応カード、短句対応カード、共通言語対応カード、一言対応カードであって、需要に応じて、さらに広義または狭義の対応と対応カードを発生することもできる音声コンバーターを提供する。
【０００７】
音声コンバーターの対応カードが、中国語から相手の公用文字へ対応カードを発生し、相手の公用文字から中国語へは他の対応カードを発生する単方向性を有することを特徴することが好ましい。
【０００８】
音声コンバーターの対応カードが、中国語から相手の公用文字への対応カードは中国語を相手の公用文字に翻訳するに用いられ、相手の公用文字から中国語への対応カードは相手の公用文字を中国語に翻訳するに用いられる使用方式を有することを特徴とすることが好ましい。
【０００９】
音声コンバーターの対応カードが、１対１の対応と１対数の対応であって、１字、１単語、１連語、１短句、１共通言語、一言が相手の言葉との対応において、一つの意味を表現する唯一の相互対応の１対１の対応以外、複数の異なる意味を表現する対応も出現し、複数の異なる意味の対応も全て並び、このような対応によって１対１の対応を形成し、１対数の対応もあることを特徴とすることが好ましい。
【００１０】
対応データベース中の対応量が大きいほど、翻訳は即時且つ精確であって、利用者は便利性を感じ、対応も量的変化から質的変化に変換し、新規の対応を絶えずに追加してこそ始めて、時代の発展による言葉についての革新需要に適応し、対応を革新する主力は必ず広範な利用者自分である。
【００１１】
有益な効果：字、単語で翻訳すると非常に精確であるが、以前は交流が容易ではなく、コンピュータ、携帯電話、スマート電気器具、ネットワーク等のハードウェアとソフトウェアがあった後、字対応、単語対応と、大量の連語対応、短句対応、共通言語対応、一言対応を追加して、対応カードが精確且つ即時翻訳の新しい媒体になって、文字翻訳のために最適な新しいルートを提供した。
【００１２】
対応カードを含む音声コンバーターであって、対応データベースが、翻訳中に２種類の文字が形成した対応からなる対応データベースと、対応データベース中の命令対応データベースと、対応データベース内の順番と、を含み、前記対応データベースは一つの特徴を有する対応カードを一つにまとめて対応データベースを構成し、単一特徴の対応データベースまたは複種類の特徴の対応データベース中のサブ対応データベースを構成することを特徴とする音声コンバーターを提供する。
【００１３】
翻訳中に２種類の文字が形成した対応からなる対応データベースは対応カードを含み、同種類の対応カードをまとめて対応データベースを構成し、前記対応カードは中国語と相手の公用文字中の精確に同一の意味を表現する対応する字、単語、連語、短句、共通言語、一言が形成した字対応カード、単語対応カード、連語対応カード、短句対応カード、共通言語対応カード、一言対応カードであって、前記同種類の対応カードをまとめて対応データベースを構成することは、全ての中国語から相手の公用文字への対応カードをまとめて一つの対応データベースを構成し、全ての相手の公用文字から中国語への対応カードをまとめて他の対応データベースを構成し、当該二つの協同する対応データベースによって、中国語から他の国家文字への翻訳対応データベースを構成することを特徴とすることが好ましい。
【００１４】
対応データベース中の命令対応データベースは、対応データベース中の命令としての対応を集中して、命令対応データベースを構成し、前記対応データベース中の命令としての対応を集中して構成した命令対応データベースは対応データベースの一部で特別な用途を有することを特徴とすることが好ましい。
【００１５】
対応データベース内の順番は、レターの順で配列し、前記レターの順で配列する場合、英語の先対応の配列は理解しやすく、中国語の先対応の配列はピンインに従って配列し、他の国家の文字の先対応について、中国語の方式を参照して配列することを特徴とすることが好ましい。
【００１６】
有益な効果：文字対応データベースがあった後、翻訳する場合、対応を検索して応用する時、簡単で高速である。命令対応データベースがあった後、対応データベースの範囲を縮小し、命令の言葉を標準化して、電気機器の検索や応用に有利である。対応データベースの順番によって、対応データベース内の対応の順番を規定する方式で、混乱を回避できる。
【００１７】
対応データベースを含む音声コンバーターであって、まず音声から中国語に変換し、対応データベース中の対応カードによって中国語を対応する相手の文字に翻訳し、相手の文字を相手のリーダーで相手の言葉で読み出して、そして、逆に１回行うと、音声変換のインタラクションである変換方法を用いることを特徴とする音声コンバーターを提供する。
音声で中国語に変換することは、音声入力方法と手動入力方法を含み、さらにファイブストローク、ピンイン、手書を含む。
【００１８】
有益な効果：当該方法は、即時で精確な音声変換のために、通路、ルートを提供する。
音声コンバーターの変換方法を含み、文字間の変換を実現し、直接に文字間の変換を実現することと、比較する方法で文字間の変換を実現することとを含み、前記文字間の変換を実現することが、対応データベースを用いて二つの国家の文字間の翻訳を行うことであることを特徴とする音声コンバーターを提供する。
【００１９】
対応データベースを含む音声コンバーターの変換方法は、直接に文字間の変換を実現し、直接に相手の文字を生成する方法と、入力した一言を文法に符合させる解決方式と、直訳方法と、新規の対応カードを生成して翻訳最小ユニットを確定する方法と、直訳する時の文型選択方法と、直訳する方式で新規の対応カードを生成する方法と、を含み、前記直接に文字間の変換を実現することが、対応データベース中の対応カードを用いて、直接に対応して結果を得る翻訳方式であることを特徴とする音声コンバーターを提供する。
【００２０】
音声コンバーターが直接に文字間の変換を実現し、対応カードを用いて直接に相手の文字を生成し、前記対応カードを用いて直接に相手の文字を生成することは、利用者が入力した中国語が対応データベースに存在するものであると、対応カードによって、直接に相手の公用文字を得て、相手の公用文字も対応カードを用いて直接に中国語を生成することを特徴とすることが好ましい。
【００２１】
音声コンバーターが直接に文字間の変換を実現し、入力した一言を文法に符合させる解決方式であって、口頭用言葉を書面用言葉に変換し、前記口頭用言葉を書面用言葉に変換することが、記述方式を含んで地方性言葉を公衆が理解可能な言葉に変換することであって、利用者が入力した一言が、対応データベース中の対応カードの中国語部分になく、データベースにも入力した一言と基本的に合致する中国語部分の対応がないと、当該ソフトウェアによって直接に翻訳し、まず一言を文法に符合させて、標準的な一言になるようにすることを特徴とすることが好ましい。
【００２２】
音声コンバーターが直接に文字間の変換を実現するための直訳方法であって、地名、人名を表記し、前記地名、人名を表記すると、直訳時に自動に音訳することを特徴とすることが好ましい。
【００２３】
音声コンバーターが直接に文字間の変換を実現するための新規の対応カードを生成して翻訳最小ユニットを確定する方法であって、短句、連語、単語、字の順で、大きい順で生成し、前記短句、連語、単語、字の順で大きい順で生成することは、翻訳ユニットまたは単語の優先順で生成し、新しい一言対応カードを生成する時、新しい一言に短句対応カードの短句が含まれている時、まず短句が最小ユニットであって、短句対応カードを用いて翻訳し、その後、新しい一言に連語対応カードの連語が含まれているか否かを判断し、連語が最小ユニットであって、含まれていると、対応データベース中の連語対応カードを用いて翻訳し、その後、新しい一言に単語対応カードの単語が含まれているか否かを判断し、単語が最小ユニットであって、含まれていると、対応データベース中の単語対応カードを用いて翻訳し、最後に、字を最小ユニットとして、字対応カードを用いて翻訳して、全ての最小ユニットを元の順で接続して、新しい一言対応カードを発生することを特徴とすることが好ましい。
【００２４】
音声コンバーターが直接に文字間の変換を実現するための直訳時の文型選択方法であって、入力した一言に文型選択を行って、前記入力した一言に文型選択を行うことは、新規の対応カードを生成する時、直訳の精確性を確保するため、入力した一言のために文型を選択することを特徴とすることが好ましい。
【００２５】
音声コンバーターが直接に文字間の変換を実現するための直訳の方式で新規の対応カードを生成する方法であって、主語、述語、目的語、限定語、副詞語で翻訳し、前記主語、述語、目的語、限定語、副詞語で翻訳することは文法の翻訳であって、翻訳方式の１種類であることを特徴とすることが好ましい。
【００２６】
音声コンバーターが直接に文字間の変換を実現するための人工知能の方式で新規の対応カードを生成する方法であって、人工知能で翻訳し、前記人工知能で翻訳することが知能翻訳であって、翻訳方法の一つであることを特徴とすることが好ましい。
【００２７】
有益な効果：直接に対応カードによって最も精確で、最も簡単な相手文字を生成し、直訳する時に、自動音訳を行うことができ、入力者の意味を充分に表現することができ、新規の対応の生成にも有利であって、入力した一言のために文型を定義し、直訳の精確性に有利であって、対応を新しく生成したので、精確率が高い。
【００２８】
対応データベースを含む音声コンバーターの変換方法であって、比較する方法で文字間の変換を実現し、対応データベースでの検索が全体的な検索で、対応データベースにおいてキーワードを検索する方法と、短句における主語、述語、目的語の関係によって判定し検索する方法と、対応データベースからできる限り多い同一の単語を検索する対応方法と、を含み、前記比較する方法で文字間の変換を実現することは、対応データベース中の対応カードを用いて、検索と比較する方法で、類似する対応を探して、文字の翻訳を実現する方法であることを特徴とする音声コンバーターを提供する。
【００２９】
音声コンバーターが比較する方法で文字間の変換を実現し、対応データベース内の検索が全体的な検索であって、対応が検索された検索部分は完全に合致する対応であって、前記対応が検索された検索部分は完全に合致する対応であって、検索部分が完全に合致する対応はマッチングした結果であって、上記したマッチング結果は検索データベース内のあらかじめ設定された方案であることを特徴とすることが好ましい。
【００３０】
音声コンバーターが比較する方法で文字間の変換を実現し、対応データベースにおいてキーワードを検索する方法であって、キーワードが同じである対応を全部検索し、前記キーワードが同じである対応を全部検索して、利用者が入力した一言が中国語の対応データベースにないと、利用者が選択して使用するように、コンピュータはデータベース中の入力した一言に類似する一言を抽出し、検索方法はキーワードの相等であることを特徴とすることが好ましい。
【００３１】
音声コンバーターが比較する方法で文字間の変換を実現し、短句中の主語、述語、目的語の関係に基づいて判定して検索する方法であって、主語、述語、目的語が同じである対応を検索し、前記主語、述語、目的語が同じである対応を検索し、利用者が入力した一言が中国語の対応データベースにないと、利用者が選択して使用するように、コンピュータがデータベース中の入力した一言に基本的に合致する一言を抽出し、その具体的な検索方法は主語、述語、目的語の検索であることを特徴とすることが好ましい。
【００３２】
音声コンバーターが比較する方法で文字間の変換を実現し、対応データベースからできる限り多い同様な単語を検索する対応方法であって、同様な単語が最も多い対応を検索し、前記同様な単語が最も多い対応を検索し、利用者が入力した一言が中国語の言葉データベースにないと、利用者が選択して使用するように、コンピュータがデータベース中の入力した一言に基本的に合致する一言を抽出し、検索方法は単語が同様の数量が最も多いことであることを特徴とすることが好ましい。
【００３３】
有益な効果：完全に同様な対応であるので、すぐに使用することができ、最も精確で便利な翻訳方式であって、単語データベースのマッチングにおいて非合致現象が出現した時、対応データベースの検索は同義の字、単語、一言で非合致結果を入れ替えし、検索中に非合致結果を得た時、最適な方式で検索結果を記述することができる。
【００３４】
文字間の変換を実現する音声コンバーターであって、コンピュータと、スキャナと、スキャンした後の文字変換ソフトウェアと、中国語の閲覧ソフトウェアと、を追加し、前記追加したコンピュータと、スキャナと、スキャンした後の文字変換ソフトウェアと、中国語の閲覧ソフトウェアは、本発明の記憶装置と不可欠な工具であることを特徴とする音声コンバーターを提供する。
【００３５】
有益な効果：閲覧者が直接に他の国家の原版文字資料を閲覧することができる。
【００３６】
変換方法において、ハードウェア方面のコンピュータと、携帯電話と、電器機器と、ネットワークとを追加し、ソフトウェア方面の文字入力ソフトウェアと、音声閲覧ソフトウェアと、必要なアプリケーションとをさらに追加し、前記ハードウェア方面のコンピュータと、携帯電話と、電器機器と、ネットワークは本発明の記憶装置であって、前記ソフトウェア方面の文字入力ソフトウェアと、音声閲覧ソフトウェアと、必要なアプリケーションは本発明を実現するに不可欠な工具であって、ハードウェアに装着され、前記音声コンバーターは、まず自分が話しようとする話を上記ソフトウェアを介して上記ハードウェアに入力して中国語を形成し、中国語を対応カードを用いて相手の文字に対応させ、相手の文字のリーダーによって、上記ハードウェアで相手の言葉を朗読し、そして逆に１回行うと、１回の音声変換のインタラクションであることを特徴とする音声コンバーターを提供する。
【００３７】
ネットワークにおいてオンラインで対応カードを追加する方法であって、ネットワークでヘルプを求め、前記ネットワークでヘルプを求めることは、利用者が入力した話が書面用言葉に符合するが、対応データベースにないと、ネットワーに接続して、ネットワーク上の友たちにヘルプを求めることができ、問い合わせることもでき、料金を払って翻訳してもらうこともでき、新規の対応カードを構成して、すぐに使用することを特徴とすることが好ましい。
【００３８】
１対数の対応である対応カードの使用方法であって、逆に異なる意味の対応を表示して利用者に選択させ、前記逆に異なる意味の対応を表示して利用者に選択させることは、字対応カード、単語対応カード、連語対応カード、短句対応カード、共通言語対応カード、一言対応カードにおいて、唯一の意味を表現する１対１の対応である対応カード以外に、複数の異なる意味を表現する１対数の対応である対応カードもあるので、この時、逆に異なる意味の対応の内容を表示して、入力者がどの対応内容が自分の意味を精確に表現したかを確定するように入力者に確定を促し、逆に、他の国家の文字を標準化して中国語に関連させ、その国家の文字と中国語との対応が１対数の対応である対応カードである時、選択して確定するように注意を与えることを特徴とすることが好ましい。
【００３９】
有益な効果：一つの実現製品で音声の変換を実現し、異なる言葉を使う人が即時に言葉の交流を行うことができ、言葉上の障害を基本的に除去した。外国語を学習する人が携帯式外国語教師を有し、かつ標準語を話す外国語教師である。利用者が連続に使用することで、言葉の使用習慣が知らず知らずに標準化され、他の国家の標準語の発音を修正し、標準語がさらに標準化される。
【００４０】
上述した技術案において、人工知能を追加し、知能的に参照資料の提供、知能的にデフォルト選択、知能的に先配列、知能的に感情付きを含み、前記人工知能を追加することは、音声コンバーターが利用者の心を非常に理解し、自動的にプログラムを実行し、また、知恵的かつ開発的に提供したり問題を解決し、自己改善を実現することを特徴とする音声コンバーターを提供する。
【００４１】
知能的に参照資料の提供は、参照資料を提供し、前記参照資料を提供することは、入力者が参照資料を必要とする時、音声コンバーターの人工知能が利用者の要求に満たす参照内容を出現することを特徴とする。
【００４２】
知能的にデフォルト選択は、デフォルト選択であって、前記デフォルト選択は入力者が選択しようとする時、音声コンバーターの人工知能が入力者の要求に最も満たすデフォルト選択を行うことを特徴とする。
【００４３】
知能的に先配列は、先に配列し、前記前に配列された時は音声コンバーターの人工知能がデフォルト選択しなく、入力者の要求に最も満たす選択肢が前に配列されることもあることを特徴とする。
【００４４】
知能的に感情付きは、言葉感情を有し、前記言葉感情を有することは、音声閲覧ソフトウェアが閲覧する時、入力者の意味を把握でき、朗読の音が高低長短で、魅力的であるので、入力者の感情を精確に表現し、逆に聴く場合も同じであることを特徴とする。
【００４５】
音声コンバーターの人工知能は自動に追加し、前記自動に追加することは、利用者が新規の対応によって発生された対応カードを使用するたびに、人工知能が自動に記録し、次回に使用するように対応データベースに追加することを特徴とすることが好ましい。
【００４６】
音声コンバーターの人工知能は自動に交流し、前記自動に交流することは、音声コンバーターの人工知能が、自動に利用者とソフトウェア公用ウェブサイトとの一つの交流通路を構築して、利用者が新規の対応カードを使用すると、ウェブサイトが対応カードを認定しウェブサイトでの対応データベースの追加し且つソフトウェア公用ウェブサイトが定期的に各音声コンバーターの対応データベースをアップグレードして事業者へのサービスの提供の便宜を図るように、人工知能が自動にソフトウェア公用ウェブサイトに当該情報を伝送することを特徴とすることが好ましい。
【００４７】
有益な効果：音声コンバーターの製品をアプグレードし、最も人間味のある翻訳ロボットになって、また、両方の話しに参与しなく、特に秘密を保持し、他地他国での観光客、商人に必須なものであって、他国の恋人も喜んでいて、二つの国家の元首間の秘密話しにも使用することができ、重大な意義をもっている。
【００４８】
色で対応生成種類を表記し、ソフトウェア担当者が確認した対応について特定の色で表記する方法と、人工知能により発生した新規の対応について特定の色で表示する方法と、自分で単語字で直訳した対応について特定の色で表示する方法と、を含み、前記色で対応生成種類を表記することは、異なる方式で生成された対応カードを異なる色で表示することを特徴とする音声コンバーターを提供する。
【００４９】
ホームページアドレスで確認した対応について特定の色で表記する方法において、特定の色で確認した対応を表示し、前記特定の色で確認した対応を表示することは、ソフトウェアに複種類の対応があって、直観的に区別付けるため、特定の色でソフトウェア中の確認した対応を表示し、相手に送り、相手はすぐにそれが精確であることを分かることを特徴とすることが好ましい。
【００５０】
人工知能により発生された新規の対応について特定の色で表示する方法であって、特定の色で人工知能により生成された対応を表示し、前記特定の色で人工知能により生成された対応を表示することは、ソフトウェアに複種類の対応があって、直観的に区別付けるため、特定の色でソフトウェア中の人工知能により生成された対応を表示して、相手に送り、相手がそれが人工知能により翻訳されたものであることが分かり、不明確であるか精確でないものがあるかを判断して問い合わせすることができることを特徴とすることが好ましい。
【００５１】
自分で単語、字で直訳した対応について特定の色で表示する方法であって、特定の色で直訳した対応を表示することを特徴とし、前記特定の色で直訳した対応を表示することは、ソフトウェアに複種類の対応があって、直観的に区別付けるため、特定の色でソフトウェア中の直訳した対応を表示して、相手に送り、相手がそれが利用者が自分で組み合わせたものであることが分かり、話しようとする内容を全部話したか、正確であるかが知らなく、精確性が最も悪いことが好ましい。
【００５２】
有益な効果：どの色でどのような対応を表示し、話の精確性を精確に相手に知らせる。ソフトウェア担当者に認定後のものが最も精確であって、人工知能により翻訳されたものは基本的に精確であって、利用者が自分で組み合わせて翻訳したものの対応の精確性の信頼度が最も低い。
【００５３】
対応カードの募集方法において、前記対応の募集方法は、全ての人に向いて１倍以上の奨励を与え、即ち、利用者がソフトウェア担当者に合格した対応カードを提供し、一つ以上の対応カードを無料で使用することができ、対応する使用時間または流量であることもでき、無料に使用するものをソフトウェア担当者の管理で、他の利用者と交換することもできることを特徴とする音声コンバーターを提供する。
【００５４】
有益な効果：対応データベース中の対応カードを速やかに追加することができる。金を稼ぐ手段でもある。
【００５５】
本発明の方法、ステップ、技術案を応用する用途において、用途１、世界中の全ての文字をコンピュータに入力して、相互に直接に文字翻訳や音声変換を行うルートを構築し、用途２、世界で共通の各国内と相互の全ての文字と音声の翻訳ソフトウェアになり、用途３、一つの国家での１翻１国言葉の翻訳器、１翻数国言葉の翻訳器に製造することができ、用途４、２種類の異なる地方の方言を関連させ、用途５、中国のオンラインショッピングが世界唯一のオンラインショッピングになるように最後の言葉障害を除去したことを特徴とする音声コンバーターを提供する。
【００５６】
有益な効果：全ての言葉の相互関連を実現し、世界上の人が世界で旅行する時、公用文字のある地方であれば、言葉障害上の問題の大部分を解決するが、当地の文字を入力できる人がなければ使用することができなくなる。
【発明を実施するための形態】
【００５７】
以下、本発明を詳しく説明し、本発明の実施例中の技術案を明確且つ完全に記載するが、ここで説明する実施例は本発明の実施例の全部ではなく一部である。本発明の実施例に基づいて、当業者が創造性のある労働を経ずに得られる他の実施例は全て本発明の保護範囲に含まれる。
【００５８】
具体的な実施例１
中国語と相手の公用文字との相互翻訳を含み、１字、１単語、一言を関連付ける音声コンバーターであって、同一の意味を精確に表現する字、単語、一言の対応を形成して対応カードを発生して、連語、短句、共通言語の対応する追加して対応カードを発生することを特徴とする音声コンバーターを提供する。
【００５９】
本実施例においてさらに、前記対応カードは中国語と相手の公用文字の精確に同一の意味を表現する対応する字、単語、連語、短句、共通言語、一言によって発生された字対応カード、単語対応カード、連語対応カード、短句対応カード、共通言語対応カード、一言対応カードであって、需要に応じて、さらに広義または狭義の対応と対応カードを発生することもできる。
【００６０】
具体的な実施例２
音声コンバーターにおいて、音声コンバーターの対応カードが単方向性を有することを特徴とする。
【００６１】
本実施例においてさらに、前記対応カードの単方向性は中国語から相手の公用文字へ対応カードを発生し、相手の公用文字から中国語へは他の対応カードを発生する。
【００６２】
具体的な実施例３
音声コンバーターにおいて、音声コンバーターの対応カードの使用方式を特徴とする。
【００６３】
本実施例においてさらに、前記対応カードの使用方式は、中国語から相手の公用文字への対応カードは中国語を相手の公用文字に翻訳するに用いられ、相手の公用文字から中国語への対応カードは相手の公用文字を中国語に翻訳するに用いられる。
【００６４】
具体的な実施例４
音声コンバーターにおいて、音声コンバーターの対応カードが、１対１の対応と１対数の対応であることを特徴とする。
【００６５】
本実施例においてさらに、前記１対１の対応と１対数の対応は、１字、１単語、１連語、１短句、１共通言語、一言が相手の言葉との対応において、一つの意味を表現する唯一の相互対応の１対１の対応以外、複数の異なる意味を表現する対応も出現し、複数の異なる意味の対応も全て並び、このような対応によって１対１の対応を形成し、１対数の対応もある。
【００６６】
対応データベース中の対応量が大きいほど、翻訳は即時且つ精確であって、利用者は便利性を感じ、対応も量的変化から質的変化に変換し、新規の対応を絶えずに追加してこそ始めて、時代の発展による言葉についての革新需要に適応し、対応を革新する主力は必ず広範な利用者自分である。
【００６７】
動作原理：翻訳しようとする内容を字対応、単語対応、連語対応、短句対応、共通言語対応、一言対応によって直接に相手の文字を生成する。対応がない時、複数の小さいユニットに分割し、分割した後もないと、対応があるまでさらに分割し、相手の文字に対応させる。
【００６８】
具体的な実施例５
音声コンバーターにおいて、対応データベースが、翻訳中に２種類の文字が形成した対応からなる対応データベースと、対応データベース中の命令対応データベースと、対応データベース内の順番と、を含むことを特徴とする。
【００６９】
本実施例においてさらに、前記対応データベースは一つの特徴を有する対応カードを一つにまとめて対応データベースを構成し、単一特徴の対応データベースまたは複種類の特徴の対応データベース中のサブ対応データベースを構成する。
【００７０】
動作原理：中国語から相手の公用文字への全ての対応が１種類の対応で、これらの対応を一つにまとめて対応データベースを構成し、相手の公用文字から中国語へは他の種類の対応で、これらの対応を一つにまとめて他の対応データベースを構成する。中国語から他の言語に翻訳する時、中国語の対応データベースで検索し、相手の公用文字から中国語へ翻訳する時、相手の公用文字から中国語への対応データベースで検索する。
【００７１】
具体的な実施例６
音声コンバーターの対応データベースによると、翻訳中に２種類の文字が形成した対応からなる対応データベースは対応カードを含み、同種類の対応カードをまとめて対応データベースを構成し、前記対応カードは中国語と相手の公用文字中の精確に同一の意味を表現する対応する字、単語、連語、短句、共通言語、一言が形成した字対応カード、単語対応カード、連語対応カード、短句対応カード、共通言語対応カード、一言対応カードであって、前記同種類の対応カードをまとめて対応データベースを構成することは、全ての中国語から相手の公用文字への対応カードをまとめて一つの対応データベースを構成し、全ての相手の公用文字から中国語への対応カードをまとめて他の対応データベースを構成し、当該二つの協同する対応データベースによって、中国語から他の国家文字への翻訳対応データベースを構成する。
【００７２】
動作原理：中国語から相手の公用文字への全ての対応が１種類の対応で、これらの対応を一つにまとめて対応データベースを構成し、相手の公用文字から中国語へは他の種類の対応で、これらの対応を一つにまとめて他の対応データベースを構成する。中国語から他の言語に翻訳する時、中国語の対応データベースで検索し、相手の公用文字から中国語へ翻訳する時、相手の公用文字から中国語への対応データベースで検索する。
【００７３】
具体的な実施例７
音声コンバーターの対応データベースによると、対応データベース中の命令対応データベースであって、対応データベース中の命令としての対応を集中して、命令対応データベースを構成することを特徴とする。
【００７４】
本実施例においてさらに、前記対応データベース中の命令としての対応を集中して構成した命令対応データベースは対応データベースの一部で特別な用途を有する。
【００７５】
動作原理：人と電器機器が対話する時、命令対応データベース中の対応によって命令し、電器機器が最も容易に理解し、その反応が最も精確で高速である。
【００７６】
具体的な実施例８
音声コンバーターの対応データベースによると、対応データベース内の順番は、レターの順で配列し、前記レターの順で配列する場合、英語の先対応の配列は理解しやすく、中国語の先対応の配列はピンインに従って配列し、他の国家の文字の先対応について、中国語の方式を参照して配列することを特徴とする。
【００７７】
動作原理：対応データベースそれぞれにおける対応は、前の文字のレター順で配列する。
【００７８】
具体的な実施例９
対応データベースを含む音声コンバーターであって、変換方法と特徴とする。
【００７９】
本実施例においてさらに、前記変換方法は、まず音声から中国語に変換し、対応データベース中の対応カードによって中国語を対応する相手の文字に翻訳し、相手の文字を相手のリーダーで相手の言葉で読み出して、そして、逆に１回行うと、音声変換のインタラクションである。
【００８０】
音声で中国語に変換することは、音声入力方法と手動入力方法を含み、さらにファイブストローク、ピンイン、手書を含む。
【００８１】
動作原理：自分が話したい話を中国語として入力し、字対応、単語対応、連語対応、短句対応、共通言語対応、一言対応によって直接に相手の文字を生成し、相手の文字を相手の音声リーダーによって相手の言葉で閲覧し、相手が理解できる音声を聴くことができる。相手が何かを話しようとする場合、このように１回行えばよい。
【００８２】
具体的な実施例１０
音声コンバーターの変換方法を含み、文字間の変換を実現し、直接に文字間の変換を実現することと、比較する方法で文字間の変換を実現することとを含むことを特徴とする音声コンバーターを提供する。
【００８３】
本実施例においてさらに、前記文字間の変換を実現することが、対応データベースを用いて二つの国家の文字間の翻訳を行うことである。
【００８４】
動作原理：中国語について対応データベース中の対応カードによって対応して相手の文字を生成し、対応カードがないと対応によって一つの対応カードを発生し、相手の文字についても対応データベース中の対応カードによって中国語を生成し、対応カードがないと対応によって一つの対応カードを発生し、これにより文字間の変換を実現する。
【００８５】
具体的な実施例１１
音声コンバーターによる文字間の変換の実現おいて、直接に文字間の変換を実現し、直接に相手の文字を生成する方法と、入力した一言を文法に符合させる解決方式と、直訳方法と、新規の対応カードを生成して翻訳最小ユニットを確定する方法と、直訳する時の文型選択方法と、直訳する方式で新規の対応カードを生成する方法と、を含むことを特徴とする。
【００８６】
本実施例においてさらに、前記直接に文字間の変換を実現することが、対応データベース中の対応カードを用いて、直接に対応して結果を得る翻訳方式である。
【００８７】
動作原理：対応カードによって直接に相手の文字を生成し、また自分で直訳の方式で対応カードを発生する。
【００８８】
具体的な実施例１２
音声コンバーターが直接に文字間の変換を実現するにおいて、対応カードを用いて直接に相手の文字を生成することを特徴とする。
【００８９】
本実施例においてさらに、前記対応カードを用いて直接に相手の文字を生成することは、利用者が入力した中国語が対応データベースに存在するものであると、対応カードによって、直接に相手の公用文字を得て、相手の公用文字も対応カードを用いて直接に中国語を生成する。
【００９０】
動作原理：直接に対応して相手の公用文字を得る。
【００９１】
具体的な実施例１３
音声コンバーターが直接に文字間の変換を実現するにおいて、入力した一言を文法に符合させる解決方式でって、口頭用言葉を書面用言葉に変換することを特徴とする。
【００９２】
本実施例においてさらに、前記口頭用言葉を書面用言葉に変換することが、記述方式を含んで地方性言葉を公衆が理解可能な言葉に変換することであって、利用者が入力した一言が、対応データベース中の対応カードの中国語部分になく、データベースにも入力した一言と基本的に合致する中国語部分の対応がないと、当該ソフトウェアによって直接に翻訳し、まず一言を文法に符合させて、標準的な一言になるようにする。
【００９３】
動作原理：人々が話す一言が全て書面用言葉であることがなく、記述方式を含んで地方性言葉を公衆が理解可能な言葉に変換する。利用者が入力した一言が中国語の言葉データベースになく、コンピュータ抽出データベースに入力した一言と基本的に合致する一言がないと、本ソフトウェアで直接に翻訳しなければならなく、まず一言を文法に符合させて、標準的な一言になるようにする。
【００９４】
具体的な実施例１４
音声コンバーターが直接に文字間の変換を実現するにおいて、直訳方法であって、地名、人名を表記することを特徴とする。
【００９５】
本実施例においてさらに、前記地名、人名を表記すると、直訳時に自動に音訳する。
【００９６】
動作原理：地名、人名を表記すると、直訳時に自動に音訳する。
【００９７】
具体的な実施例１５
音声コンバーターが直接に文字間の変換を実現するにおいて、新規の対応カードを生成して翻訳最小ユニットを確定する方法であって、短句、連語、単語、字の順で、大きい順で生成することを特徴とする。
【００９８】
本実施例においてさらに、前記短句、連語、単語、字の順で大きい順で生成することは、翻訳ユニットまたは単語の優先順で生成し、新しい一言対応カードを生成する時、新しい一言に短句対応カードの短句が含まれている時、まず短句が最小ユニットであって、短句対応カードを用いて翻訳し、その後、新しい一言に連語対応カードの連語が含まれているか否かを判断し、連語が最小ユニットであって、含まれていると、対応データベース中の連語対応カードを用いて翻訳し、その後、新しい一言に単語対応カードの単語が含まれているか否かを判断し、単語が最小ユニットであって、含まれていると、対応データベース中の単語対応カードを用いて翻訳し、最後に、字を最小ユニットとして、字対応カードを用いて翻訳して、全ての最小ユニットを元の順で接続して、新しい一言対応カードを発生する。
【００９９】
動作原理：対応データベース内で検索されないと新規の対応を発生しなければならなく、新規の一言対応を創造する時、短句、連語、単語、字の順で大きい方から生成、翻訳ユニットまたは単語の優先順である。短句対応があるとまず短句で翻訳し、その後対応データベース中の連語で翻訳し、その後対応データベース中の単語で翻訳し、最後に字で翻訳する。
【０１００】
具体的な実施例１６
【０１０１】
音声コンバーターが直接に文字間の変換を実現するにおいて、直訳時の文型選択方法であって、入力した一言に文型選択を行うことを特徴とする。
【０１０２】
本実施例においてさらに、前記入力した一言に文型選択を行うことは、新規の対応カードを生成する時、直訳の精確性を確保するため、入力した一言のために文型を選択する。
【０１０３】
具体的な実施例１７
音声コンバーターが直接に文字間の変換を実現するにおいて、直訳の方式で新規の対応カードを生成する方法であって、主語、述語、目的語、限定語、副詞語で翻訳することを特徴とする。
【０１０４】
本実施例においてさらに、前記用主語、述語、目的語、限定語、副詞語で翻訳することは文法の翻訳であって、翻訳方式の１種類である。
【０１０５】
具体的な実施例１８
音声コンバーターが直接に文字間の変換を実現するにおいて、人工知能の方式で新規の対応カードを生成する方法であって、人工知能で翻訳することを特徴とする。
【０１０６】
本実施例においてさらに、前記人工知能で翻訳することが知能翻訳であって、翻訳方法の一つである。
【０１０７】
具体的な実施例１９
音声コンバーターが文字間の変換を実現するにおいて、比較する方法で文字間の変換を実現し、対応データベースでの検索が全体的な検索で、対応データベースにおいてキーワードを検索する方法と、短句における主語、述語、目的語の関係によって判定し検索する方法と、対応データベースからできる限り多い同一の単語を検索する対応方法と、を含むことを特徴とする。
【０１０８】
本実施例においてさらに、前記比較する方法で文字間の変換を実現することは、対応データベース中の対応カードを用いて、検索と比較する方法で、類似する対応を探して、文字の翻訳を実現する方法である。
【０１０９】
具体的な実施例２０
音声コンバーターが比較する方法で文字間の変換を実現し、対応データベース内の検索が全体的な検索であって、対応が検索された検索部分は完全に合致する対応であることを特徴とする。
【０１１０】
本実施例においてさらに、前記対応が検索された検索部分は完全に合致する対応であって、検索部分が完全に合致する対応はマッチングした結果であって、上記したマッチング結果は検索データベース内のあらかじめ設定された方案である。
【０１１１】
具体的な実施例２１
音声コンバーターが比較する方法で文字間の変換を実現し、対応データベースにおいてキーワードを検索する方法であって、キーワードが同じである対応を全部検索することを特徴とする。
【０１１２】
本実施例においてさらに、前記キーワードが同じである対応を全部検索して、利用者が入力した一言が中国語の対応データベースにないと、利用者が選択して使用するように、コンピュータはデータベース中の入力した一言に類似する一言を抽出し、検索方法はキーワードの相等である。
【０１１３】
具体的な実施例２２
音声コンバーターが比較する方法で文字間の変換を実現し、短句中の主語、述語、目的語の関係に基づいて判定して検索する方法であって、主語、述語、目的語が同じである対応を検索することを特徴とする。
【０１１４】
本実施例においてさらに、前記主語、述語、目的語が同じである対応を検索し、利用者が入力した一言が中国語の対応データベースにないと、利用者が選択して使用するように、コンピュータがデータベース中の入力した一言に基本的に合致する一言を抽出し、その具体的な検索方法は主語、述語、目的語の検索である。
【０１１５】
具体的な実施例２３
音声コンバーターが比較する方法で文字間の変換を実現し、対応データベースからできる限り多い同様な単語を検索する対応方法であって、同様な単語が最も多い対応を検索することを特徴とする。
【０１１６】
本実施例においてさらに、前記同様な単語が最も多い対応を検索し、利用者が入力した一言が中国語の言葉データベースにないと、利用者が選択して使用するように、コンピュータがデータベース中の入力した一言に基本的に合致する一言を抽出し、検索方法は単語が同様の数量が最も多いことである。
【０１１７】
具体的な実施例２４
文字間の変換を実現する音声コンバーターであって、コンピュータと、スキャナと、スキャンした後の文字変換ソフトウェアと、中国語の閲覧ソフトウェアと、を追加したことを特徴とする音声コンバーターを提供する。
【０１１８】
本実施例においてさらに、前記追加したコンピュータと、スキャナと、スキャンした後の文字変換ソフトウェアと、中国語の閲覧ソフトウェアは、本発明の記憶装置と不可欠な工具である。
【０１１９】
動作原理：まず自分が閲覧しようとする他の国家の文字をスキャナでスキャンしてから、その国家のスキャン内容を文字に変換する変換ソフトウェアを用いて、その国家の文字に変換し、その文字をさらに二つの国家の文字間の変換を経て中国語を生成し、それから中国語の閲覧ソフトウェアで読む。
【０１２０】
具体的な実施例２５
変換方法において、ハードウェア方面のコンピュータと、携帯電話と、電器機器と、ネットワークとを追加し、ソフトウェア方面の文字入力ソフトウェアと、音声閲覧ソフトウェアと、必要なアプリケーションとをさらに追加することを特徴とする。
【０１２１】
本実施例においてさらに、前記ハードウェア方面のコンピュータと、携帯電話と、電器機器と、ネットワークは本発明の記憶装置であって、前記ソフトウェア方面の文字入力ソフトウェアと、音声閲覧ソフトウェアと、必要なアプリケーションは本発明を実現するに不可欠な工具であって、ハードウェアに装着され、前記音声コンバーターは、まず自分が話しようとする話を上記ソフトウェアを介して上記ハードウェアに入力して中国語を形成し、中国語を対応カードを用いて相手の文字に対応させ、相手の文字のリーダーによって、上記ハードウェアで相手の言葉を朗読し、そして逆に１回行うと、１回の音声変換のインタラクションである。
【０１２２】
具体的な実施例２６
ハードウェア方面のコンピュータと、携帯電話と、電器機器と、ネットワークと、を追加し、さらにソフトウェア方面の文字入力ソフトウェアと、音声閲覧ソフトウェアと、必要なアプリケーションと、を追加した音声コンバーターにおいて、ネットワークにおいてオンラインで対応カードを追加する方法であって、ネットワークでヘルプを求めることを特徴とする。
【０１２３】
本実施例においてさらに、前記ネットワークでヘルプを求めることは、利用者が入力した話が書面用言葉に符合するが、対応データベースにないと、ネットワーに接続して、ネットワーク上の友たちにヘルプを求めることができ、問い合わせることもでき、料金を払って翻訳してもらうこともでき、新規の対応カードを構成して、すぐに使用する。
【０１２４】
具体的な実施例２７
ハードウェア方面のコンピュータと、携帯電話と、電器機器と、ネットワークと、を追加し、さらにソフトウェア方面の文字入力ソフトウェアと、音声閲覧ソフトウェアと、必要なアプリケーションと、を追加した音声コンバーターにおいて、１対数の対応である対応カードの使用方法であって、逆に異なる意味の対応を表示して利用者に選択させることを特徴とする。
【０１２５】
本実施例においてさらに、前記逆に異なる意味の対応を表示して利用者に選択させることは、字対応カード、単語対応カード、連語対応カード、短句対応カード、共通言語対応カード、一言対応カードにおいて、唯一の意味を表現する１対１の対応である対応カード以外に、複数の異なる意味を表現する１対数の対応である対応カードもあるので、この時、逆に異なる意味の対応の内容を表示して、入力者がどの対応内容が自分の意味を精確に表現したかを確定するように入力者に確定を促し、逆に、他の国家の文字を標準化して中国語に関連させ、その国家の文字と中国語との対応が１対数の対応である対応カードである時、選択して確定するように注意を与える。
【０１２６】
動作原理：まず変換しようとする話を入力する方法でハードウェアに入力して中国語とし、入力した話が対応中にあると、直接に相手の文字を生成する。ないと、機器により入力された中国語が中国語の書面用言葉の字、単語、一言の要求を満たすかを判定する。要求を満たさない時、機器が入力した話が表現しようとする意味の書面用言葉の選択肢を提示し、入力者が可能性のある幾つかの書面用言葉から選択して確定する。選択後のものが中国語の書面用言葉の要求を満たし、対応中にあると、直接に相手の文字を生成し、対応がないと、一言を複数の短句に分割し、短句でもできなく、対応がないと、さらに連語に分割し、連語の対応もないと、単語に分割し、単語の対応がないと、さらに字に分割する。面倒で、時間がなく、明確に説明できない等の問題でこのように処理したくないと、キーワードで意味が接近する対応を探して、機器に幾つかの対応選択肢と、自分が入力した話と重複する単語が多い対応、特にキーワードの重複が多い対応を提供することを要求し、入力者がこれらの選択肢から選択して確定し、入力者自分の意味を精確に表現する。それでも解決できないと、ネットワークに接続して、ネットワーク上の友たちにヘルプを求めることができ、問い合わせることもでき、料金を払って翻訳してもらうこともでき、新規の対応カードを構成して、すぐに使用する。対応に１対数の対応が出現した時、入力者の意味を精確に表現できるように、入力者に選択して確定することを提示する。最後に対応する相手の文字について、相手の文字のリーダーで相手の音声で読んで、相手が理解できる。逆に、相手が回答しようとする時、同様に自分の文字を標準化し、中国語に関連付けて、中国語との対応が１対数の対応である時、選択して確定するように提示し、中国語リーダーにより標準語で朗読し、これにより１回の音声変換のインタラクションを完成する。
【０１２７】
具体的な実施例２８
上述した技術案において、人工知能を追加し、知能的に参照資料の提供、知能的にデフォルト選択、知能的に先配列、知能的に感情付きを含むことを特徴とする音声コンバーターを提供する。
【０１２８】
本実施例においてさらに、前記人工知能を追加することは、音声コンバーターが利用者の心を非常に理解し、自動的にプログラムを実行し、また、知恵的かつ開発的に提供したり問題を解決し、自己改善を実現する。
【０１２９】
知能的に参照資料の提供は、参照資料を提供し、前記参照資料を提供することは、入力者が参照資料を必要とする時、音声コンバーターの人工知能が利用者の要求に満たす参照内容を出現することを特徴とする。
【０１３０】
知能的にデフォルト選択は、デフォルト選択であって、前記デフォルト選択は入力者が選択しようとする時、音声コンバーターの人工知能が入力者の要求に最も満たすデフォルト選択を行うことを特徴とする。
【０１３１】
知能的に先配列は、先に配列し、前記前に配列された時は音声コンバーターの人工知能がデフォルト選択しなく、入力者の要求に最も満たす選択肢が前に配列されることもあることを特徴とする。
【０１３２】
知能的に感情付きは、言葉感情を有し、前記言葉感情を有することは、音声閲覧ソフトウェアが閲覧する時、入力者の意味を把握でき、朗読の音が高低長短で、魅力的であるので、入力者の感情を精確に表現し、逆に聴く場合も同じであることを特徴とする。
【０１３３】
具体的な実施例２９
音声コンバーターに追加された人工知能において、自動に追加することを特徴とする。
【０１３４】
本実施例においてさらに、前記自動に追加することは、利用者が新規の対応によって発生された対応カードを使用するたびに、人工知能が自動に記録し、次回に使用するように対応データベースに追加する。
【０１３５】
具体的な実施例３０
音声コンバーターに追加された人工知能において、自動に交流することを特徴とする。
【０１３６】
本実施例においてさらに、前記自動に交流することは、音声コンバーターの人工知能が、自動に利用者とソフトウェア公用ウェブサイトとの一つの交流通路を構築して、利用者が新規の対応カードを使用すると、ウェブサイトが対応カードを認定しウェブサイトでの対応データベースの追加し且つソフトウェア公用ウェブサイトが定期的に各音声コンバーターの対応データベースをアップグレードして事業者へのサービスの提供の便宜を図るように、人工知能が自動にソフトウェア公用ウェブサイトに当該情報を伝送する。
【０１３７】
動作原理：具体的な実施例２５動作原理の基に、人工知能を追加し、機器が運転中に人工知能が各段階で知恵的であって、スマートに見られ、性能を向上させ、機能を追加する。
【０１３８】
具体的な実施例３１
色で対応生成種類を表記し、ソフトウェア担当者が確認した対応について特定の色で表記する方法と、人工知能により発生した新規の対応について特定の色で表示する方法と、自分で単語字で直訳した対応について特定の色で表示する方法と、を含むことを特徴とする。
【０１３９】
本実施例においてさらに、前記色で対応生成種類を表記することは、異なる方式で生成された対応カードを異なる色で表示する
【０１４０】
動作原理：異なる方式で生成された対応カードを異なる色で表示する。
【０１４１】
具体的な実施例３２
音声コンバーターが色で対応生成種類を表記し、ホームページアドレスで確認した対応について特定の色で表記する方法であって、特定の色で確認した対応を表示することを特徴とする。
【０１４２】
本実施例においてさらに、前記特定の色で確認した対応を表示することは、ソフトウェアに複種類の対応があって、直観的に区別付けるため、特定の色でソフトウェア中の確認した対応を表示し、相手に送り、相手はすぐにそれが精確であることを分かる。
【０１４３】
動作原理：新規の対応について、ソフトウェア担当者の専門家が審査した後に正確であると認められると、当該対応を特定の色で表示し、利用者と受付者に正確であると明確に知らせる。
【０１４４】
具体的な実施例３３
音声コンバーターが色で対応生成種類を表記し、人工知能により発生された新規の対応について特定の色で表示する方法であって、特定の色で人工知能により生成された対応を表示することを特徴とする。
【０１４５】
本実施例においてさらに、前記特定の色で人工知能により生成された対応を表示することは、ソフトウェアに複種類の対応があって、直観的に区別付けるため、特定の色でソフトウェア中の人工知能により生成された対応を表示して、相手に送り、相手がそれが人工知能により翻訳されたものであることが分かり、不明確であるか精確でないものがあるかを判断して問い合わせすることができる。
【０１４６】
動作原理：新規の対応について、人工知能が自動に生成したもので、特別に精確であるか否かは確定できないと、当該対応を特定の色で表示して、利用者と受付者に精確性を知らせて、ソフトウェア担当者に確認されていないことに注意するべきであると知らせる。
【０１４７】
具体的な実施例３４
音声コンバーターが色で対応生成種類を表記し、自分で単語、字で直訳した対応について特定の色で表示する方法であって、特定の色で直訳した対応を表示することを特徴とする。
【０１４８】
本実施例においてさらに、前記特定の色で直訳した対応を表示することは、ソフトウェアに複種類の対応があって、直観的に区別付けるため、特定の色でソフトウェア中の直訳した対応を表示して、相手に送り、相手がそれが利用者が自分で組み合わせたものであることが分かり、話しようとする内容を全部話したか、正確であるかが知らなく、精確性が最も悪い。
【０１４９】
動作原理：利用者が自分で字、単語、文型で直訳した対応によって生成して相手に送り、ソフトウェアのウェブサイトは当該対応を特定の色で表示して、受付者に当該話は自分で組み合せたもので、話しようとする内容を全部話し、正確であるか否かは知らないと知らせる。
【０１５０】
具体的な実施例３５
音声コンバーターにおいて、対応カードの募集方法を特徴とする。
【０１５１】
本実施例においてさらに、前記対応の募集方法は、全ての人に向いて1倍以上の奨励を与え、即ち、利用者がソフトウェア担当者に合格した対応カードを提供し、一つ以上の対応カードを無料で使用することができ、対応する使用時間または流量であることもでき、無料に使用するものをソフトウェア担当者の管理で、他の利用者と交換することもできる。
【０１５２】
動作原理：全ての人が、合格した対応カードを提供すると、二つの対応を無料で使用することができ、プラットフォームで販売することもできる。
【０１５３】
具体的な実施例３６
音声コンバーターにおいて、その用途を特徴とする。
【０１５４】
本実施例においてさらに、本発明の方法、ステップ、技術案を応用する用途において、用途１、世界中の全ての文字をコンピュータに入力して、相互に直接に文字翻訳や音声変換を行うルートを構築し、用途２、世界で共通の各国内と相互の全ての文字と音声の翻訳ソフトウェアになり、用途３、一つの国家での１翻１国言葉の翻訳器、１翻数国言葉の翻訳器に製造することができ、用途４、２種類の異なる地方の方言を関連させ、用途５、中国のオンラインショッピングが世界唯一のオンラインショッピングになるように最後の言葉障害を除去した。
【０１５５】
動作原理：スマート電気器具において、本発明の方法、ステップ、技術案によって、大きいソフトウェア構造を構成し、ソフトウェア構造に二つの国家のリーダー、字対応、単語対応、連語対応、短句対応、共通言語対応、一言対応等を挿入し、字対応、単語対応、連語対応、短句対応、共通言語対応、一言対応等を絶えずに補充すると、世界各国家の言葉間の共通文字、音声翻訳ソフトウェアになり、当該ソフトウェアをハードウェアにインストールすると翻訳機になる。
【０１５６】
開示した実施例の上記説明によって、当業者は本発明を実現または使用することができる。これらの実施例についての各種の補正は当業者にとって自明なものであって、明細書に定義された通常原理は、本発明の精神または範囲を離脱せずに他の実施例で実現されることもできる。よって、本発明は本明細書に記載の実施例に限定されず、本明細書に開示された原理と新規な特徴に一致する最大の範囲を含む。
【０１５７】
まとめ：本発明によると、世界の言葉システムにおいて、別途に学習する必要のない「国際手話」システムを構築し、話したことを相手が理解することはできないものの、自分の替わりに相手に表示して説明するものがあって、相手が見て理解でき、他人が話したことを理解できない場合、それを表示するものがあって、見て理解することができる。「聾唖手話」は聾唖者が聞こえない状況で、手で交流するためのものである。「国際手話」は言葉での交流ができない人が相互理解できない状況で、手で文字を入力して交流するためのものである。
【０１５８】
本ソフトウェアは、利用者についての要求が非常に低く、自分の国家の言葉と文字を分かると直接に使用することができるので、普及されやすい。特に、ソフトウェア担当者が３種類の翻訳の言葉を提供し、色で表示する。その１は専門家が認定した正確なもので、２は人工知能により翻訳したもので、３は自分で文法に従って直訳したものであって、精確性の差異は明確であって、また相手もこのような種類と対応する種類での翻訳内容を把握できる。
【国際調査報告】
2019508824.tif 000002
2019508824.tif 000003
2019508824.tif 000004
2019508824.tif 000005
2019508824.tif 000006
2019508824.tif 000007
2019508824.tif 000008
2019508824.tif 000009